(57)【特許請求の範囲】
【請求項１】
架空配電線に遊嵌自在とされた所要の長さを有する横断面略円弧状カバ−本体の内周面に沿ってシ−ル材が設けられ、該シ−ル材を架空配電線に圧接せしめるべくカバ−本体の一側には同他側に係着自在とされた帯状締付け片が形成されると共に、カバ−本体の両端部には各々架空配電線を圧入して保持せしめるべく架空配電線の外径より小径状とされた断面略円弧状の保持部が形成されてなることを特徴とする、架空配電線用絶縁カバ−。
【発明の詳細な説明】
【０００１】
【発明の属する技術分野】
本発明は架空配電線用絶縁カバ−に関し、さらに詳細には、架空配電線のバイパス工事時における針電極式クランプの使用によって生じた絶縁被覆貫通孔を補修せしめるさいに使用する絶縁カバ−に関する。
【０００２】
【従来の技術】
従来より、この種架空配電線用絶縁カバ−の一例として、実公平６−３１６１３号公報記載のものが知られており、これを図４及び図５に基づいて説明する。
即ち、同図中、５１は絶縁カバ−、５２は該絶縁カバ−５１を構成する若干弾性を備えた円筒状の合成樹脂製カバ−本体で、該カバ−本体５２は外側方に拡開作動せしめるべくその長手方向に沿って所要幅の切欠き５３が形成されている。５４は上記カバ−本体５２の内周面に沿って塗付形成された絶縁性パテ材で、該パテ材５４のなす内径は架空配電線Ａの外径より若干小径状にすべく所要の厚さに形成せしめられている。５５は架空配電線Ａに強制的に外嵌して装着せしめるべくカバ−本体５２の両端部に各々テ−パ状に延設された装着部、５６はカバ−本体５２の外周面に着脱自在に取付けられたツマミ片である。その他、Ｂは針電極式クランプの使用により架空配電線Ａに生起された貫通孔、Ｃはヤットコなどの間接活線工具を示す。
【０００３】
そして、上述の如く構成された従来の絶縁カバ−５１を架空配電線Ａに装着せしめるさいには、まず、図５に示すように、ツマミ片５６を間接活線工具Ｃにより把持せしめつつ、切欠き５３部位を架空配電線Ａに当てがい、貫通孔Ｂを中心として当接せしめた後、さらに押圧せしめる。そして、切欠き５３に沿ってカバ−本体５２及び装着部５５をその弾性力に抗して外側方に強制的に拡開作動せしめ、架空配電線Ａに外嵌せしめると共に、弾性力により自動的に復元せしめて挟持状に装着せしめるものである。
【０００４】
【発明が解決しようとする課題】
ところで、上記の従来例は、ツマミ片５６を間接活線工具Ｃにより把持しつつ架空配電線Ａに押圧せしめるという極めて簡単な操作でもって装着せしめることが出来る反面、以下の欠点を有するものである。
まず第１に、絶縁カバ−５１自体の弾性力を利用して架空配電線Ａに挟持状に装着せしめるものであるから、必然的にその挟持力は弱いものである。このため、装着時においては、架空配電線Ａに対するパテ材５４の押圧が弱いものとなって貫通孔Ｂの内部まで充填せしめることが出来ず、ひいては、充分な防水効果が得られないものである。
第２に、上述の如く絶縁カバ−５１自体の弾性力を利用して装着せしめるものであるから、長期にわたって装着使用する場合においては絶縁カバ−５１の劣化に伴って弾性力が弱化し、防水効果に悪影響を及ぼしやすいものである。
第３に、架空配電線Ａが高圧引下げ用ブチルゴム電線（ＰＤＢ）、あるいは高圧引下げ用ＥＰゴム電線（ＰＤＰ）等のように被覆層が軟らかい場合においては、被覆層が緩衝材となるために絶縁カバ−５１の弾性力を作用せしめずらく、ひいては、装着が不十分となりやすいものである。
【０００５】
本発明は従来の問題点を一挙に解決し、架空配電線の被覆層の硬軟を問わず常に確実に装着せしめ、防水効果を有効に発揮せしめることが出来る、絶縁カバ−を提供しようとするものである。
【０００６】
【課題を解決するための手段】
即ち、本発明は、架空配電線に遊嵌自在とされた所要の長さを有する横断面略円弧状カバ−本体の内周面に沿ってシ−ル材が設けられ、該シ−ル材を架空配電線に圧接せしめるべくカバ−本体の一側には同他側に係着自在とされた帯状締付け片が形成されると共に、カバ−本体の両端部には各々架空配電線を圧入して保持せしめるべく架空配電線の外径より小径状とされた断面略円弧状の保持部が形成されてなることを特徴とする、架空配電線用絶縁カバ−を要旨とするものである。
【０００７】
そして、本発明にかかる絶縁カバ−は、貫通孔を中心として所要の架空配電線にシ−ル材を介して当接せしめると共に、両端の保持部を圧入せしめつつ締付け片により強く締付け、被覆層の硬軟に拘りなく常にその貫通孔にシ−ル材を確実に充填状態に装着せしめることが出来るのみならず、長期にわたって防水効果を有効に発揮せしめることが出来る。
【０００８】
【発明の実施の形態】
以下に、本発明の実施の形態を図面に示す一実施例に基づいて説明する。
図１乃至図３は本発明の一実施例を示すもので、同図中、１ａは絶縁カバ−、２ａは該絶縁カバ−１ａを構成する所要の長さを備えた横断面略半円弧状の合成樹脂製カバ−本体で、該カバ−本体２ａは架空配電線Ａに遊嵌自在な内径を有するものとされている。３は該カバ−本体２ａの内周面に沿って所要の厚さに設けられたシ−ル材で、該シ−ル材３はその内径が架空配電線Ａの外径より若干小径状に形成されると共に、ブチルゴムやシリコンゴム等による粘着性シ−ル材、あるいは独立発泡性スポンジなどよりなる弾性シ−ル材等の材質より形成されている。４ａは上記シ−ル材３を架空配電線Ａに締付けて圧接せしめるべくカバ−本体２ａの一側中心にヒンジ５ａを介して折曲自在に形成された広幅な帯状締付け片、６ａは該締付け片４ａの自由端に形成された係合孔、７ａは該係合孔６ａに係合せしめるべくカバ−本体２ａの他側に形成された係合片、８ａはカバ−本体２ａの両端部に各々同心円状に延設された短尺状の横断面略半円弧状保持部で、該各保持部８ａは架空配電線Ａに強制的に外嵌して装着せしめるべくその内径が架空配電線Ａの外径より若干小径状に形成せしめられている。
【０００９】
そして、上述の如く構成された実施例を架空配電線Ａに装着せしめるさいには、まず、締付け片４ａを間接活線工具Ｃにより把持せしめつつ架空配電線Ａに当てがい、貫通孔Ｂを中心として当接せしめる（図２参照）。次いで、両端の保持部８ａを各々架空配電線Ａに強制的に外嵌して保持せしめ、カバ−本体２ａを架空配電線Ａの軸線方向および周方向に対する遊動を防止せしめる。しかるのち、ヒンジ５ａを介して締付け片４ａを折曲しつつ締付け、シ−ル材３に架空配電線Ａを圧接せしめると共に、係合孔６ａを係合片７ｂに係合して係着せしめる（図３参照）。このさい、締付け片４ａでもって締付けることによりシ−ル材３に架空配電線Ａを圧接せしめるものであるから、架空配電線Ａ被膜層の硬軟に拘らず常に強固に、しかも確実に装着せしめることが出来るものであって、ひいては、貫通孔Ｂにシ−ル材３を確実に充填して防水効果を有効に発揮せしめることが出来るのみならず、長期の使用に充分耐えることが出来るものである。
【００１０】
【発明の効果】
本発明によれば以上の次第で、架空配電線に遊嵌自在とされた所要の長さを有する横断面略円弧状カバ−本体の内周面に沿ってシ−ル材が設けられ、該シ−ル材を架空配電線に圧接せしめるべくカバ−本体の一側には同他側に係着自在とされた帯状締付け片が形成されると共に、カバ−本体の両端部には各々架空配電線を圧入して保持せしめるべく架空配電線の外径より小径状とされた横断面略円弧状の保持部が形成されているから、単にカバ−本体自体の弾性力によって挟持状に装着せしめる従来例に比して、架空配電線に両端の保持部を外嵌状に圧入して保持せしめつつ締付け片を他側に係着して締付け、架空配電線被膜層の硬軟に拘わらず常に強固に、しかも確実に装着せしめ、貫通孔にシ−ル材を確実に充填せしめて防水効果を長期にわたり保持せしめることが出来るものである。
【図面の簡単な説明】
【図１】  本発明の一実施例を示す斜視図である。
【図２】  実施例の絶縁カバ−１ａを架空配電線Ａに装着せしめる状態を示す横断面図である。
【図３】  実施例の絶縁カバ−１ａを架空配電線Ａに装着せしめた状態を示す横断面図である。
【図４】  従来例を示す分解斜視図である。
【図５】  従来例の絶縁カバ−５１を架空配電線Ａに装着せしめた状態を示す横断面図である。
【符号の説明】
１ａ  絶縁カバ−
２ａ  カバ−本体
３    シ−ル材
４ａ  締付け片
６ａ  係合孔
７ａ  係合片
８ａ  保持部
Ａ    架空配電線
Ｂ    貫通孔
【図１】
0004376384.tif 000002
【図２】
0004376384.tif 000003
【図３】
0004376384.tif 000004
【図４】
0004376384.tif 000005
【図５】
0004376384.tif 000006